(57)【要約】      （修正有）【課題】よりよい実用性のあるボックスの持ち手を提供する。【解決手段】収納ボックス１０の外周側のフレームの溝部１１内に配置されるボックス端縁部の持ち手０５である。ボックス端縁部の持ち手０５は、手提げ式保持部２０とリフト作動装置３０を備えてなる。リフト作動装置３０は、収納ボックス１０のフレームの溝部１１内に配置され、且つ手提げ式保持部２０と連動するように設けられている。手提げ式保持部２０は通常、フレームの溝部１１内に収納されている。使用者がリフト作動装置３０を引くとか、或いは押すことにより、手提げ式保持部２０を連動させる。即ち、手提げ式保持部２０をフレームの溝部１１から外に突出させて、手持ち可能な状態にするか、或いは、手提げ式保持部２０をフレームの溝部１１内に収納させて収納状態にすることができる。【選択図】図１
0003188730.tif 000002
【実用新案登録請求の範囲】
【請求項１】
収納ボックス１０の外周側にあるフレームの溝部１１内に配置される該ボックス端縁部の持ち手０５であって、
該ボックス端縁部の持ち手０５は、手提げ式保持部２０とリフト作動装置３０を備えてなり、該リフト作動装置３０は、該収納ボックス１０のフレームの溝部１１内に配置され、且つ該手提げ式保持部２０と連動するように設けられており、該手提げ式保持部２０は通常、フレームの溝部１１内に収納されており、使用者が該リフト作動装置３０を引くか、或いは押すことにより、手提げ式保持部２０を連動させ、手提げ式保持部２０をフレームの溝部１１から突出させて手持ち可能な状態にするか、或いは手提げ式保持部２０をフレームの溝部１１内に収納させて収納状態にし、
手提げ式保持部２０を使用しないとき、手提げ式保持部２０をフレームの溝部１１内に収納させることができるので、収納ボックス１０の全体的な見た目を向上させることができ、且つ、手提げ式保持部２０を使用するときは、該手提げ式保持部２０をフレームの溝部１１から突出させて手持ち可能な状態にすることができるので、見た目と使用上の利便性を向上させることができることを特徴とするボックスの持ち手。
【請求項２】
該リフト作動装置３０は、回転型リフト作動装置であり、間隔をおいて該フレームの溝部１１内に配置されている２つの固定部３１と、それぞれ該固定部３１に連結されている２つのひねり部３２とを備えてなり、該ひねり部３２の一端は、ピボット軸３３により回転可能に該固定部３１に連結されており、
該手提げ式保持部２０は、可撓性のある扁平な長形状の中実体であり、該手提げ式保持部２０の両端の両端はそれぞれ、ピボット軸３３の反対側にある各ひねり部３２の一端に連結され、且つ手提げ式保持部２０は２つのひねり部３２の間に設けられており、使用者が２つのひねり部３２を内側へ回転させるとき、２つのひねり部３２が対向する方向へ回転しながら該手提げ式保持部２０を圧迫するので、手提げ式保持部２０がフレームの溝部１１から外に突出して、手持ち可能な状態になり、逆に、使用者が２つのひねり部３２を外側へ回転させるとき、２つのひねり部３２が反対する外側へ回転しながら、該手提げ式保持部２０を平らに伸ばすので、手提げ式保持部２０がフレームの溝部内に収納される収納状態になることを特徴とする請求項１に記載のボックスの持ち手。
【請求項３】
該リフト作動装置３０は、押し操作型リフト作動装置であり、間隔をおいて該フレームの溝部１１内に配置されている２つの連結部３４と、該フレームの溝部１１に設けられ、且つ２つの連結部３４の間に配置されている押し切り替え型支持ユニット３５とを備えてなり、該押し切り替え型支持ユニット３５には、押し部３６が設けられ、該押し部３６を一回押すと、押し切り替え型支持ユニット３５が上向きの突出した状態なり、もう一回押すと、下向きの収納状態になることにより、押し切り替え型支持ユニット３５の状態を切り替えることができ、
該手提げ式保持部２０は、可撓性のある扁平な長形状の中実体で、該手提げ式保持部２０の両端の二端はそれぞれ、該連結部３４に連結され、手提げ式保持部２０は、２つの連結部３４の間に配置され、且つ押し切り替え型支持ユニット３５の上方を覆うように設けられており、使用者が該手提げ式保持部２０を押すと、該押し部３６が手提げ式保持部２０に押されるので、該押し部３６を上へ突出した状態、または下へ収納された状態になり、該手提げ式保持部２０が上へ突当するときは、手持ち可能な状態になり、フレームの溝部１１内に収納されるときは、収納状態になることを特徴とする請求項１に記載のボックスの持ち手。
【請求項４】
該リフト作動装置３０は、捻り操作型リフト作動装置であり、間隔をおいて該フレームの溝部１１内に配置されている２つのガイド部４０を備えてなり、該各ガイド部４０の所定の位置には、ガイドスロット４１が形成されており、
該手提げ式保持部２０は、可撓性のある扁平な長形状の中実体で、該手提げ式保持部２０の両端の両端にはそれぞれ、ガイドひねりユニット４２が設けられ、該ガイドひねりユニット４２は、該ガイド部４０のガイドスロット４１内に結合され、該ガイドひねりユニット４２は、ガイドスロット４１内に移動可能に設けられており、使用者が手提げ式保持部２０の両端にある２つのガイドひねりユニット４２を対向する方向へ移動させるとき、手提げ式保持部２０の中央部がフレームの溝部１１から外に突出して、手持ち可能な状態になり、使用者が手提げ式保持部２０の両端にある２つのガイドひねりユニット４２を反対する方向へ移動させるとき、即ち２つのガイドひねりユニット４２を元の位置へ戻して、該手提げ式保持部２０を平らに伸すとき、手提げ式保持部２０がフレームの溝部１１内に収納される収納状態になることを特徴とする請求項１に記載のボックスの持ち手。
【請求項５】
該収納ボックス１０は、トランクケース、手提げトランクまたはキャリーケースのいずれかの一種であることを特徴とする請求項１〜請求項４のいずれかの一項に記載のボックスの持ち手。
【考案の詳細な説明】
【技術分野】
【０００１】
本考案は、ボックスの持ち手に関わり、特に、収納ボックスの外周のフレームの溝部内に設けられ、且つリフト作動装置で手提げ式保持部をフレームの溝部から外に突出させて手持ち可能な状態にするか、或いは手提げ式保持部をフレームの溝部内に収納させて収納状態にするボックスの持ち手に関する。
【背景技術】
【０００２】
長距離の旅に出る人々は、衣服や個人用品などを収納、整理するため、それらを収納ボックス（例えば、トランクケース）に入れて運ぶことが多い。従来の一般的な収納ボックスの一側には、収納ボックスを持つための持ち手が付いている。
【０００３】
収納ボックスに持ち手が付いている従来の構造形態は、広く普及され、長年使用してきたが、収納ボックスの持ち手が収納ボックスの外部に設けられているので、その持ち手を外から見えないように隠すことができない。即ち、持ち手が収納ボックスの外部に配置されているので、唐突感が強く、収納ボックスの全体的な見た目がよくない欠点を有している。そのため、該当業者たちは、持ち手を使用しないときは、収納ボックスに隠し、使用するときは、持ち手を引き出す構造を開発した。そのような構造において、該持ち手を収納するため、収納ボックスの前面部または背面部に収納空間を設けて、該持ち手をその収納空間に収納させる。しかし、収納空間を設けることにより、収納ボックスの内部空間が減少するとともに、収納可能な空間が減少するので、使用上の利便性に悪い影響を与える。
【０００４】
上述した従来の持ち手に存在する問題を解決するため、よりよい実用性のある新規な構造を開発するのが望ましい。
【０００５】
それに鑑みて、考案者は上述した目標について、関連製品の製造開発や設計に携わる長年の経験を以て、工夫を凝らして設計を行い、慎重に評価したうえ、ようやく、実用性のある本考案を得られたわけである。
【考案の概要】
【考案が解決しようとする課題】
【０００６】
本考案は、ボックスの持ち手を提供することを目的とする。特に、従来の技術の問題を解決することができ、且つよりよい実用性のある新規なボックスの持ち手を提供することを目的とする。
【課題を解決するための手段】
【０００７】
本考案のボックスの持ち手は、収納ボックスの外周側のフレームの溝部内に配置される。該ボックスの持ち手は、手提げ式保持部とリフト作動装置を備えてなる。該リフト作動装置は、該収納ボックスのフレームの溝部内に配置され、且つ該手提げ式保持部と連動するように設けられている。該手提げ式保持部は通常、フレームの溝部内に収納されている。使用者がリフト作動装置を引くか、或いは押すとき、手提げ式保持部が該リフト作動装置に連動される。即ち、手提げ式保持部をフレームの溝部から外に突出させるときは、手持ち可能な状態になり、手提げ式保持部をフレームの溝部内に収納させるときは、収納状態になる。
【考案の効果】
【０００８】
上述した新規な構造により、本考案は、使用者の使用ニーズに従って、該手提げ式保持部の使用形態を自由に制御することができる。手提げ式保持部を使用しないときは、リフト作動装置により、手提げ式保持部をフレームの溝部内に収納させることができる。従って、収納ボックスの全体的な見た目がよく、手提げ式保持部が収納ボックスから外へ突出した唐突感がない。手提げ式保持部を使用するときは、リフト作動装置により、該手提げ式保持部をフレームの溝部から外へ突出させて、手持ち可能は状態にすることができる。本考案のボックスの持ち手が収納ボックスの外周側にあるフレームの溝部内に配置されるので、収納ボックスに手提げ式保持部を収納するための収納空間を別に凹設する必要がなく、収納ボックスの内部空間を確保するとともに、商品の見た目を向上させることができる。即ち、本考案は、使用上の利便性、実用性及び付加価値を有している。
【図面の簡単な説明】
【０００９】
【図１】収納ボックスに設けられる本考案のボックスの持ち手を示す立体分解図である。
【図２】収納ボックスに設けられている本考案のボックスの持ち手を示す立体図である。
【図３】本考案のボックスの持ち手の動作状態を示す図である。
【図４】本考案のボックスの持ち手の動作状態を示す図である。
【図５】本考案の他の実施形態に係るボックスの持ち手の動作状態を示す図である。
【図６】本考案の他の実施形態に係るボックスの持ち手の動作状態を示す図である。
【考案を実施するための形態】
【００１０】
図１〜図４を参考すると、本考案の好適な実施例に係るボックスの持ち手が示されている。これらの実施例は、本考案を説明するためのものであるが、本考案の請求の範囲がそれらの構造に制限されるものではない。本考案のボックスの持ち手０５は、収納ボックス１０の外周側に形成されているフレームの溝部１１内に取付けられる。該収納ボックス１０は、トランクケース、手提げトランク、又はキャリーケースなど中のいずれかの一種である。本実施例においては、トランクケースを例として説明するが、本考案がトランクケースに限定されるものではない。フレームの溝部１１は、該収納ボックス１０の外周面を一周するように、前面部１２と背面部１３との間に形成されている。
【００１１】
該ボックスの持ち手０５は、手提げ式保持部２０（該手提げ式保持部２０は、可撓性のある扁平な長形状の中実体に形成されることが好ましい）とリフト作動装置３０を備えている。該リフト作動装置３０は、該収納ボックス１０のフレームの溝部１１内に配置され、該手提げ式保持部２０と連動するように設けられている。該手提げ式保持部２０は通常、フレームの溝部１１内に収納され、且つボックスの表面と平らになっている。使用者が該リフト作動装置３０を引くか、或いは押すいずれかの方法で、手提げ式保持部２０を連動させる。これにより、手提げ式保持部２０がフレームの溝部１１から突出して手持ち可能な状態になるか、或いは、手提げ式保持部２０がフレームの溝部１１内に収納される収納状態になる。図２〜図４に示すように、本考案の実施例に係るリフト作動装置３０は、回転式リフト作動装置であり、間隔をおいて該フレームの溝部１１内に配置されている２つの固定部３１と、それぞれ該固定部３１に連結されている２つのひねり部３２とを備えてなる。該ひねり部３２の一端は、ピボット軸３３（図３）により、該固定部３１に設けられている。即ち、ひねり部３２が該ピボット軸３３を軸として、回転できるように該固定部３１に設けられている。該手提げ式保持部２０の対向する両端はそれぞれ、ピボット軸３３の反対側にある各ひねり部３２の一端に連結されている。手提げ式保持部２０は、２つのひねり部３２の間に配置されている。使用者が２つのひねり部３２を内側へ回転させるとき、２つのひねり部３２が対向する内側へ回転しながら、該手提げ式保持部２０を圧迫する（図３の矢印Ｌ１）。従って、該手提げ式保持部２０がフレームの溝部１１の外へ突出して、手持ち可能な状態になる。逆に、使用者が２つのひねり部３２を外側へ回転させるとき、２つのひねり部３２が反対する外側へ回転しながら、該手提げ式保持部２０を伸ばす（図面省略）。従って、該手提げ式保持部２０がフレームの溝部内に収納され、ボックスの表面と平らになる。
【００１２】
上述したような配置構造により、使用者が使用ニーズに従って該手提げ式保持部の使用形態を自由に制御することができる。手提げ式保持部２０を使用しないとき、上述した構造により手提げ式保持部２０がフレームの溝部内１１に収納させることができる。即ち、ボックスの表面と平らになるので、収納ボックス１０の全体的な見た目がよく、且つ手提げ式保持部が収納ボックスから外へ突出している唐突感がない。また、本考案箱のボックスの持ち手０５が収納ボックスの外周側にあるフレームの溝部内に配置されるので、収納ボックス１０の前面部１２及び背面部１３に手提げ式保持部２０を収納するための収納空間を凹設する必要がない。従って、収納ボックス１０の内部空間の完全性を確保し、収納可能な空間を増やすことができる。使用者が該収納ボックス１０を持つときは、該手提げ式保持部２０を突出させて、手持ち可能な状態にする。本考案は、商品の見た目を向上させることができ、使用上の利便性がよく、実用性及び付加価値を有している。
【００１３】
図５に示すのは、本考案のもう一つの実施形態である。本実施形態の該リフト作動装置３０は、押し操作型リフト作動装置であり、間隔をおいてフレームの溝部１１内に配置されている２つの連結部３４と、該フレームの溝部１１に設けられ、且つ２つの連結部３４の間に配置されている押し切り替え型支持ユニット３５とを備えてなる。該押し切り替え型支持ユニット３５は、押し部３６を有している。該押し部３６を一回押すと、押し切り替え型支持ユニット３５が上向きの突出した状態になり、該押し部３６をもう一回押すと、押し切り替え型支持ユニット３５が下向きの収納状態になる。即ち、押し部３６を押すごとに、押し切り替え型支持ユニット３５を突出した状態と収納状態中のいずれかの一種の状態に切り替えることができる（該押し部３６は、その内部に配置されているバネ、噛合部と噛合ユニットにより、上述した機能を実現する。即ち、押し部３６を押すごとに、押し切り替え型支持ユニット３５の状態を突出状態又は収納状態に切り替えることができる。押し部３６の構造は、従来の技術を採用することができるので、ここでは再び説明しない）。該手提げ式保持部２０の対向する二端はそれぞれ、２つの連結部３４に連結されている。手提げ式保持部２０は、２つの連結部３４の間に配置され、且つ押し切替え型支持ユニット３５の上方を覆うように設けられている。使用者が該手提げ式保持部２０を押すと、該押し部３６が手提げ式保持部２０に押されるので、該押し部３６を上へ突出した状態、または下へ収納される状態に切り替えることができる。従って、該手提げ式保持部２０が上へ突出して手持ち可能な状態になるか、或いはフレームの溝部１１内に収納される収納状態になる。
【００１４】
図６に示すのは、本考案のもう一つの実施形態である。本実施形態の該リフト作動装置３０は、捻り操作型リフト作動装置であり、間隔をおいて該フレームの溝部１１内に配置されている２つのガイド部４０を備えてなる。該各ガイド部４０の所定の位置には、ガイドスロット４１が形成されている。該手提げ式保持部２０の対向する両端には、ガイドひねりユニット４２が設けられ、該ガイドひねりユニット４２は、該ガイド部４０のガイドスロット４１内に結合されている。該ガイドひねりユニット４２がガイドスロット４１内に移動可能に設けられているので、使用者が手提げ式保持部２０の両端にある２つのガイドひねりユニット４２を対向する方向へ（矢印Ｌ２）移動させるとき、手提げ式保持部２０の中央部がフレームの溝部１１から外に突出して、手持ち可能な状態になる。逆に、使用者が手提げ式保持部２０の両端にある２つのガイドひねりユニット４２を反対する方向へ移動させるとき、即ち２つのガイドひねりユニット４２を元の位置に戻して、該手提げ式保持部２０を水平に伸すとき、該手提げ式保持部２０がフレームの溝部１１内に収納される収納状態になる。本実施例に係るガイドスロット４１には、端部から上へ凹設されたフック状位置決め部４３が形成されている。該ガイドひねりユニット４２がガイドスロット４１の端部まで移動するとき、該ガイドひねりユニット４２を上へ移動させて、該フック状位置決め部４３内に結合させることができるので、ガイドひねりユニット４２の位置を決めることができる。
【００１５】
本考案により効果が向上される事実は次の通りである。本考案に掲示された「ボックスの持ち手」は、収納ボックスにあるフレームの溝部内に配置されているリフト作動装置と、該リフト作動装置と連動する手提げ式保持部とを備える新規な構造を有している。従来の技術と比較して見ると、本考案は、使用者が使用ニーズに従って該手提げ式保持部の使用形態を自由に制御することができる。即ち、手提げ式保持部を使用しないときは、リフト作動装置により手提げ式保持部をフレームの溝部内に収納させて、ボックスの表面と平らになるようにすることができる。従って、収納ボックスの全体的な見た目がよく、手提げ式保持部が収納ボックスから外に突出した唐突感がない。該手提げ式保持部を持つときは、リフト作動装置により、該手提げ式保持部を外へ突出させて、手持ち可能な状態にすることができる。一方、本考案のボックスの持ち手を収納ボックスの外周側にあるフレームの溝部内に配置されるので、収納ボックスに手提げ式保持部を収納するための収納空間を凹設する必要がない。従って、収納ボックスの内部空間の完全性を確保するとともに、商品の見た目を向上させることができる。また本考案は、使用上の利便性がよく、実用性及び付加価値を有している。
【００１６】
上述した実施例に掲示したのは、本考案を具体的に説明するために用いられる内容であり、文の中で専門用語で説明してきたが、それを以て、本考案の実用新案登録請求の範囲を制限してはならないものとし、この分野が分かる者は、本考案のコンセプトや考えを理解して、それらの変更や改造を行って、それと同等な効果を得たとしても、それらの変更や改造は全て、後述の実用新案登録請求の範囲に含まれるものとする。
【符号の説明】
【００１７】
０５  ボックス端縁部の持ち手
１０  収納ボックス
１１  フレームの溝部
１２  前面部
１３  背面部
２０  手提げ式保持部
３０  リフト作動装置
３１  固定部
３２  ひねり部
３３  ピボット軸
３４  連結部
３５  押し切り替え型支持ユニット
３６  押し部
４０  ガイド部
４１  ガイドスロット
４２  ガイドひねりユニット
４３  フック状位置決め部
【図１】
0003188730.tif 000003
【図２】
0003188730.tif 000004
【図３】
0003188730.tif 000005
【図４】
0003188730.tif 000006
【図５】
0003188730.tif 000007
【図６】
0003188730.tif 000008